(57)【特許請求の範囲】
【請求項１】
シート状部材に複数種類の折りを行う折り手段と、１つの文書データを複数のグループに分割する分割手段と、該グループ毎に該グループの該シート状部材に対して該折り手段で行う折り種類を設定する折り種類設定手段と、該折り種類設定手段で該グループ毎に設定された該折り種類の折りを該グループ毎の該シート状部材に対して該折り手段に行わせる制御手段と、を備え、
前記折り手段は、前記シート状部材を複数枚重ねた状態で折りを行う重ね折り機能を備えており、前記重ね折りが実行可能な用紙枚数の限度である重ね折り制限枚数を前記各折り種類毎に有するものであり、
さらに、前記折り種類設定手段で設定された該折り種類に対して前記分割手段で分割された該シート状部材の枚数が該折り種類の該重ね折り制限枚数に達していると、少なくとも折り制限枚数に達した旨を報知する報知手段を備えていることを特徴とするシート折り装置。
【請求項２】
記憶手段に保管されている文書データまたは外部から受信した文書データをシート状部材に印刷する印刷手段と、該印刷手段で印刷された該シート状部材に複数種類の折りを行う折り手段と、１つの文書データを複数のグループに分割する分割手段と、該グループ毎に該グループのシート状部材に対して該折り手段で行う折り種類を設定する折り種類設定手段と、１つの該文書データの該印刷手段での印刷を該分割手段で分割される該グループ毎に行わせるとともに、該グループに対して該折り種類設定手段で設定された該折り種類の折りを該グループの該印刷手段で印刷された該シート状部材に対して該折り手段に行わせる制御手段と、を備え、
前記折り手段は、前記シート状部材を複数枚重ねた状態で折りを行う重ね折り機能を備えており、前記重ね折りが実行可能な用紙枚数の限度である重ね折り制限枚数を前記各折り種類毎に有するものであり、
さらに、前記折り種類設定手段で設定された該折り種類に対して前記分割手段で分割された該シート状部材の枚数が該折り種類の該重ね折り制限枚数に達していると、少なくとも折り制限枚数に達した旨を報知する報知手段を備えていることを特徴とする画像形成装置。
【請求項３】
複数枚の原稿の画像を読み取る読み取り手段と、該読み取り手段の読み取った原稿の文書データをシート状部材に印刷する印刷手段と、該印刷手段で印刷された該シート状部材に複数種類の折りを行う折り手段と、１つの文書データを複数のグループに分割する分割手段と、該グループ毎に該グループのシート状部材に対して該折り手段で行う折り種類を設定する折り種類設定手段と、１つの該文書データの該印刷手段での印刷を該分割手段で分割される該グループ毎に行わせるとともに、該グループに対して該折り種類設定手段で設定された該折り種類の折りを該グループの該印刷手段で印刷された該シート状部材に対して該折り手段に行わせる制御手段と、を備え、
前記折り手段は、前記シート状部材を複数枚重ねた状態で折りを行う重ね折り機能を備えており、前記重ね折りが実行可能な用紙枚数の限度である重ね折り制限枚数を前記各折り種類毎に有するものであり、
さらに、前記折り種類設定手段で設定された該折り種類に対して前記分割手段で分割された該シート状部材の枚数が該折り種類の該重ね折り制限枚数に達していると、少なくとも折り制限枚数に達した旨を報知する報知手段を備えていることを特徴とする画像形成装置。
【請求項４】
前記折り手段によって折りの行われた複数の該グループの該シート状部材を該文書単位で纏める纏め手段を、さらに備えていることを特徴とする請求項１に記載のシート折り装置あるいは請求項２または請求項３記載の画像形成装置。
【請求項５】
前記制御手段は、前記読み取り手段に、前記分割手段で分割される前記各グループ毎の前記シート状部材への印刷に対応する前記原稿の読み取りを行わせ、前記印刷手段に、該グループ毎に該読み取り手段の読み取った該原稿の文書データの該シート状部材への印刷を行わせることを特徴とする請求項３記載の画像形成装置。
【請求項６】
前記報知手段は、前記重ね折り制限枚数に達した前記グループの前記シート部材に対する前記折り種類の変更と該折り処理の解除のうち少なくともいずれかの設定変更を可能とする折り設定変更手段を有していることを特徴とする請求項１に記載のシート折り装置あるいは請求項２または請求項３記載の画像形成装置。
【請求項７】
前記折り設定変更手段は、前記重ね折り制限枚数に達した重ね折り種類の該重ね折り制限枚数よりも該重ね折り制限枚数の多い他の重ね折り種類のみを選択可能な折り種類として提示することを特徴とする請求項６記載のシート折り装置または画像形成装置。
【請求項８】
シート状部材に複数種類の折りを行う折り処理ステップと、１つの文書データを複数のグループに分割する分割処理ステップと、該グループ毎に該グループの該シート状部材に対して該折り処理ステップで行う折り種類を設定する折り種類設定処理ステップと、該折り種類設定処理ステップで設定された該折り種類の折りを該グループ毎の該シート状部材に対して該折り処理ステップで行わせる制御処理ステップと、を有し、
前記折り処理ステップは、前記シート状部材を複数枚重ねた状態で折りを行う重ね折りが可能なステップであり、前記重ね折りが実行可能な用紙枚数の限度である重ね折り制限枚数の前記各折り種類毎の値を参照して行うものであり、
さらに、前記折り種類設定処理ステップで設定された該折り種類に対して前記分割処理ステップで分割された該シート状部材の枚数が該折り種類の該重ね折り制限枚数に達していると、少なくとも折り制限枚数に達した旨を報知する報知処理ステップを備えていることを特徴とするシート折り制御方法。
【請求項９】
記憶手段に保管されている文書データまたは外部から受信した文書データをシート状部材に印刷する印刷処理ステップと、該印刷処理ステップで印刷された該シート状部材に複数種類の折りを行う折り処理ステップと、１つの文書データを複数のグループに分割する分割処理ステップと、該グループ毎に該グループのシート状部材に対して該折り処理ステップで行う折り種類を設定する折り種類設定処理ステップと、１つの該文書データの該印刷処理ステップでの印刷を該分割処理ステップで分割される該グループ毎に行わせるとともに、該グループに対して該折り種類設定処理ステップで設定された該折り種類の折りを該グループの該印刷処理ステップで印刷された該シート状部材に対して該折り処理ステップで行わせる制御処理ステップと、を有し、
前記折り処理ステップは、前記シート状部材を複数枚重ねた状態で折りを行う重ね折りが可能なステップであり、前記重ね折りが実行可能な用紙枚数の限度である重ね折り制限枚数の前記各折り種類毎の値を参照して行うものであり、
さらに、前記折り種類設定処理ステップで設定された該折り種類に対して前記分割処理ステップで分割された該シート状部材の枚数が該折り種類の該重ね折り制限枚数に達していると、少なくとも折り制限枚数に達した旨を報知する報知処理ステップを備えていることを特徴とする画像形成制御方法。
【請求項１０】
複数枚の原稿の画像を読み取る読み取り処理ステップと、該読み取り処理ステップで読み取った原稿の文書データをシート状部材に印刷する印刷処理ステップと、該印刷処理ステップで印刷された該シート状部材に複数種類の折りを行う折り処理ステップと、１つの文書データを複数のグループに分割する分割処理ステップと、該グループ毎に該グループのシート状部材に対して該折り処理ステップで行う折り種類を設定する折り種類設定処理ステップと、１つの該文書データの該印刷処理ステップでの印刷を該分割処理ステップで分割される該グループ毎に行わせるとともに、該グループに対して該折り種類設定処理ステップで設定された該折り種類の折りを該グループの該印刷処理ステップで印刷された該シート状部材に対して該折り処理ステップに行わせる制御処理ステップと、を有し、
前記折り処理ステップは、前記シート状部材を複数枚重ねた状態で折りを行う重ね折りが可能であり、前記重ね折りが実行可能な用紙枚数の限度である重ね折り制限枚数の前記各折り種類毎の値を参照して行うものであり、
さらに、前記折り種類設定処理ステップで設定された該折り種類に対して前記分割処理ステップで分割された該シート状部材の枚数が該折り種類の該重ね折り制限枚数に達していると、少なくとも折り制限枚数に達した旨を報知する報知処理ステップを備えていることを特徴とする画像形成制御方法。
【請求項１１】
前記折り処理ステップで折りの行われた複数の該グループの該シート状部材を該文書単位で纏める纏め処理ステップを、さらに有していることを特徴とする請求項８記載のシート折り制御方法あるいは請求項９または請求項１０記載の画像形成制御方法。
【請求項１２】
前記制御処理ステップは、前記読み取り処理ステップにおいて、前記分割処理ステップで分割される前記各グループ毎の前記シート状部材への印刷に対応する前記原稿の読み取りを行わせ、前記印刷処理ステップにおいて、該グループ毎に該読み取り処理ステップで読み取った該原稿の文書データの該シート状部材への印刷を行わせるステップであることを特徴とする請求項１０記載の画像形成制御方法。
【請求項１３】
シート折り装置を制御するコンピュータに、シート状部材に複数種類の折りを行う折り処理と、１つの文書データを複数のグループに分割する分割処理と、該グループ毎に該グループの該シート状部材に対して該折り処理で行う折り種類を設定する折り種類設定処理と、該折り種類設定処理で設定された該折り種類の折りを該グループ毎の該シート状部材に対して該折り処理で行わせる制御処理と、を実行させ、
前記折り処理は、前記シート状部材を複数枚重ねた状態で折りを行う重ね折りが可能であり、前記重ね折りが実行可能な用紙枚数の限度である重ね折り制限枚数の前記各折り種類毎の値を参照して行うものであり、
さらに、前記コンピュータに、前記折り種類設定処理で設定された該折り種類に対して前記分割処理で分割された該シート状部材の枚数が該折り種類の該重ね折り制限枚数に達していると、少なくとも折り制限枚数に達した旨を報知する報知処理を実行させるためのシート折り制御プログラム。
【請求項１４】
画像形成装置を制御するコンピュータに、記憶手段に保管されている文書データまたは外部から受信した文書データをシート状部材に印刷する印刷処理と、該印刷処理で印刷された該シート状部材に複数種類の折りを行う折り処理と、１つの文書データを複数のグループに分割する分割処理と、該グループ毎に該グループのシート状部材に対して該折り処理で行う折り種類を設定する折り種類設定処理と、１つの該文書データの該印刷処理での印刷を該分割処理で分割される該グループ毎に行わせるとともに、該グループに対して該折り種類設定処理で設定された該折り種類の折りを該グループの該印刷処理で印刷された該シート状部材に対して該折り処理で行わせる制御処理と、を実行させ、
前記折り処理は、前記シート状部材を複数枚重ねた状態で折りを行う重ね折りが可能であり、前記重ね折りが実行可能な用紙枚数の限度である重ね折り制限枚数の前記各折り種類毎の値を参照して行うものであり、
さらに、前記コンピュータに、前記折り種類設定処理で設定された該折り種類に対して前記分割処理で分割された該シート状部材の枚数が該折り種類の該重ね折り制限枚数に達していると、少なくとも折り制限枚数に達した旨を報知する報知処理を実行させるための画像形成制御プログラム。
【請求項１５】
画像形成装置を制御するコンピュータに、複数枚の原稿の画像を読み取る読み取り処理と、該読み取り処理で読み取った原稿の文書データをシート状部材に印刷する印刷処理と、該印刷処理で印刷された該シート状部材に複数種類の折りを行う折り処理と、１つの文書データを複数のグループに分割する分割処理と、該グループ毎に該グループのシート状部材に対して該折り処理で行う折り種類を設定する折り種類設定処理と、１つの該文書データの該印刷処理での印刷を該分割処理で分割される該グループ毎に行わせるとともに、該グループに対して該折り種類設定処理で設定された該折り種類の折りを該グループの該印刷処理で印刷された該シート状部材に対して該折り処理で行わせる制御処理と、を実行させ、
前記折り処理は、前記シート状部材を複数枚重ねた状態で折りを行う重ね折りが可能であり、前記重ね折りが実行可能な用紙枚数の限度である重ね折り制限枚数の前記各折り種類毎の値を参照して行うものであり、
さらに、前記コンピュータに、前記折り種類設定処理で設定された該折り種類に対して前記分割処理で分割された該シート状部材の枚数が該折り種類の該重ね折り制限枚数に達していると、少なくとも折り制限枚数に達した旨を報知する報知処理を実行させるための画像形成制御プログラム。
【請求項１６】
前記コンピュータに、前記折りの行われた複数の前記グループの前記シート状部材を前記文書単位で纏める纏め処理を、さらに実行させるためのプログラムであることを特徴とする請求項１３記載のシート折り制御プログラムあるいは請求項１４または請求項１５記載の画像形成制御プログラム。
【請求項１７】
前記読み取り処理において、前記分割処理で分割される前記グループ毎の前記シート状部材への印刷に対応する前記原稿の読み取りを行わせ、前記印刷処理において、該グループ毎に該読み取り処理で読み取った該原稿の文書データの該シート状部材への印刷を行わせることを特徴とする請求項１５記載の画像形成制御プログラム。
【請求項１８】
請求項１３または請求項１６記載のシート折り制御プログラムあるいは請求項１４から請求項１７のいずれかに記載の画像形成制御プログラムを記録したことを特徴とするコンピュータが読み取り可能な記録媒体。
【発明の詳細な説明】
【技術分野】
【０００１】
本発明は、シート折り装置、画像形成装置、シート折り制御方法、画像形成制御方法、シート折り制御プログラム、画像形成制御プログラム及び記録媒体に関し、詳細には、１つの文書を任意のページ毎に複数のグループに分割して各グループ毎に異なる種類の折り処理を実行して折り処理後の各グループのシート状部材を元の１つの文書にまとめるシート折り装置、画像形成装置、シート折り制御方法、画像形成制御方法、シート折り制御プログラム、画像形成制御プログラム及び記録媒体に関する。
【背景技術】
【０００２】
複写機、プリンタ等の画像形成装置は、多機能化してきており、大量の画像を記憶する記憶装置を備えた画像形成装置が主流となってきているとともに、画像形成装置の多機能化に伴って、画像形成された用紙等のシート状部材（以下、用紙という。）に対して綴じ処理や折り処理等の後処理を施す後処理装置も、その機能が多機能化してきている。
【０００３】
そして、この後処理装置としては、ステープル処理、折り処理画等の種々の後処理を行う装置があるが、特に、折り処理としては、例えば、図２２にその折り前と折り後について示す二つ折り、図２３にその折り前と折り後について示すＺ折り、図２４にその折り前と折り後について示す外三つ折り、図２５にその折り前と折り後について示す内三つ折り、図２６にその折り前と折り後について示す単純四つ折り、図２７にその折り前と折り後について示す観音四つ折り等があり、また、また、一度に複数枚のシート状部材に対して折り処理を行う折り処理機能として、図２８にその折り前と折り後について示す二つ重ね折り、図２９にその折り前と折り後について示す外三つ重ね折り、図３０にその折り前と折り後について示す内三つ重ね折り等がある。また、折り処理においては、折り位置、折り方向及び折り順序等の折り条件も高度化してきており、例えば、従来、用紙に対する折り位置、折り方向及び折り順序が設定されると、該設定された折り位置、折り方向及び折り順序に従って折り手段を制御して用紙に折り処理を行う用紙処理装置が提案されている（特許文献１参照）。そして、このような複数の折り種類の折りを切り替えて実行する機能を備えた多機能折り装置においては、従来、文書単位で該文書の印刷済の用紙に施す折り種類を適宜選択可能となっている。
【０００４】
さらに、片面印刷と両面印刷が混在した印刷を行う片両混在印刷モード、白黒印刷とカラー印刷が混在した印刷を行うモノクロ・カラー混在印刷モード等のように、１つの印刷ジョブの中で異なる印刷モードを混在させる技術がある。
【０００５】
【特許文献１】特開２００５−１３８９６１号公報
【発明の開示】
【発明が解決しようとする課題】
【０００６】
しかしながら、上記特許文献１記載等の折り処理の従来技術にあっては、複数の折り種類のうち、指定の折り種類を１つの文書に対して実行することはできるが、１つの文書の印刷済の用紙うち、任意のページのグループに対して実行する折り種類と他のグループに対して実行する折り種類とを異ならせることができず、利用性を向上させる上で、改良の必要があった。
【０００７】
例えば、ダイレクトメール等においては、１つの文書に対して図３１に示すように、内三つ重ね折り、外三つ重ね折り及び二つ重ね折りの３種類の折り処理を行いたい場合、従来技術では、多機能折り装置であっても、各折り種類の折り処理毎に文書データを前もって人手で分割して、画像形成装置で分割した各文書データについて必要部数だけ印刷処理を行わせて、該印刷処理された用紙を多機能折り装置に送り込んで、該多機能折り装置で、例えば、最初の内三つ重ね折り処理を該部数分だけ行わせる。次に、次の折り種類に対応するページの文書データを画像形成装置で必要部数だけ印刷させて、印刷した用紙を多機能折り装置に送り込んで、多機能折り装置で、次の折り種類、例えば、外三つ重ね折りの折り処理を行わせるという処理を順次折り種類毎に繰り返し行う。そして、全ての折り種類について印刷処理と折り処理を行わせると、人手で、これらの分割した複数の文書の折り処理後の用紙を集めて、元の１つの文書に纏める作業を部数分だけ行う必要があり、利用性が悪いという問題があった。
【０００８】
そこで、本発明は、１つの文書を印刷した複数枚のシート状部材に複数種類の折りを混在させて行って利用性の良好なシート折り装置、画像形成装置、シート折り制御方法、画像形成制御方法、シート折り制御プログラム、画像形成制御プログラム及び記録媒体を提供することを目的としている。
【課題を解決するための手段】
【０００９】
本発明のシート折り装置、シート折り制御方法、シート折り制御プログラムは、上記目的を達成するために、１つの文書データの印刷された複数枚のシート状部材を任意の枚数毎に複数のグループに分割し、該各グループ毎に設定された折り種類の折りを該グループ毎の該シート状部材に対して行い、シート状部材を複数枚重ねた状態で折りを行う重ね折り機能を備えており、上記重ね折りが実行可能な用紙枚数の限度である重ね折り制限枚数を各折り種類毎に有し、さらに、上記設定された折り種類に対して、分割されたシート状部材の枚数がその折り種類の重ね折り制限枚数に達していると、少なくとも折り制限枚数に達した旨を報知することを特徴としている。
【００１０】
また、本発明の画像形成装置、画像形成制御方法、画像形成制御プログラムは、上記目的を達成するために、記憶手段に保管されている１つの文書データまたは外部から受信した１つの文書データのシート状部材への印刷を、該印刷された複数枚の該シート状部材に対して設定されている任意の枚数毎の複数のグループ毎に行い、該グループの印刷済みのシート状部材に対して設定されている折り種類の折りを行い、シート状部材を複数枚重ねた状態で折りを行う重ね折り機能を備えており、上記重ね折りが実行可能な用紙枚数の限度である重ね折り制限枚数を各折り種類毎に有し、さらに、上記設定された折り種類に対して、分割されたシート状部材の枚数がその折り種類の重ね折り制限枚数に達していると、少なくとも折り制限枚数に達した旨を報知することを特徴としている。
【００１１】
さらに、本発明の画像形成装置、画像形成制御方法、画像形成制御プログラムは、上記目的を達成するために、１つの文書を構成する複数枚の原稿を読み取った文書データのシート状部材への印刷を、該印刷された複数枚の該シート状部材に対して設定されている任意の枚数毎の複数のグループ毎に行い、該グループの印刷済みのシート状部材に対して設定されている折り種類の折りを行い、シート状部材を複数枚重ねた状態で折りを行う重ね折り機能を備えており、上記重ね折りが実行可能な用紙枚数の限度である重ね折り制限枚数を各折り種類毎に有し、さらに、上記設定された折り種類に対して、分割されたシート状部材の枚数がその折り種類の重ね折り制限枚数に達していると、少なくとも折り制限枚数に達した旨を報知することを特徴としている。
【００１２】
この場合、前記折りの行われた複数のグループのシート状部材を文書単位で纏める纏め動作を行うことを特徴としてもよい。
また、前記原稿の読み取りを、分割される前記各グループ毎の前記シート状部材への印刷に対応する前記原稿単位で行い、読み取った該原稿の文書データの該シート状部材への印刷を該グループ毎に行うことを特徴としてもよい。
【発明の効果】
【００１３】
本発明によれば、１つの文書データの印刷された複数枚のシート状部材を任意の枚数毎に複数のグループに分割し、該各グループ毎に設定された折り種類の折りを該グループ毎の該シート状部材に対して行うので、１つの文書を印刷した複数枚のシート状部材に複数種類の折りを行うことができ、利用性を向上させることができる。
【発明を実施するための最良の形態】
【００１４】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００１５】
図１〜図１４は、本発明のシート折り装置、画像形成装置、シート折り制御方法、画像形成制御方法、シート折り制御プログラム、画像形成制御プログラム及び記録媒体の第１実施例を示す図であり、図１は、本発明のシート折り装置、画像形成装置、シート折り制御方法、画像形成制御方法、シート折り制御プログラム、画像形成制御プログラム及び記録媒体の第１実施例を適用した画像形成ユニット１のブロック構成図である。
【００１６】
図１において、画像形成ユニット１は、ＭＦＰ（画像形成装置）１００と後処理装置群３００を備えており、ＭＦＰ１００は、シート状部材としての用紙Ｐ（図２参照）に画像形成して、画像形成した用紙Ｐを後処理装置群３００に送り出す。なお、図１のＭＦＰ１００内に記載されている数値（「５５０」、「１１００」）は、給紙トレイ１７１、１７２、１７３（図２参照）にセット（積載）可能な用紙Ｐの枚数を示しており、最上段の給紙トレイ１７１の「Ａ３拡」は、セット可能な最大用紙サイズを示している。
【００１７】
後処理装置群３００は、多機能折りユニット（シート折り装置）３１０とフィニッシャ３２０を備えており、フィニッシャ３２０は、多機能折りユニット３１０を通過した用紙束に対して、パンチ処理、ステープル処理、トリマー処理等の各種フィニッシャ機能を実行する。
【００１８】
多機能折りユニット（折り手段）３１０は、ＭＦＰ１００から入力される１つの印刷ジョブ単位であって、設定された所定の用紙枚数のグループ毎に分割された用紙Ｐに対して、該グループの用紙Ｐに対して設定された折り種類の折り処理、例えば、図２２から図３０に示した各種折り種類のうち指定された折り種類の折り処理を実行し、該複数の折り種類の折り処理を実行した用紙Ｐを該１つの印刷ジョブ（文書単位）に纏めてフィニッシャ３２０に送り出す。
【００１９】
ＭＦＰ１００は、図２にその正面概略構成図を示すように、本体筐体１１０の上部に、ＡＤＦ（自動原稿搬送装置）１２０が配設されており、本体筐体１１０の内部には、上部から読み取りユニット（読み取り手段）１３０、書き込みユニット１４０、画像形成ユニッ１５０、用紙搬送ユニット１６０、給紙ユニット１７０及び両面給紙ユニット１８０等が収納されている。そして、ＭＦＰ１００の側面には、図１に示したように、このＭＦＰ１００で画像形成された用紙Ｐに後処理する後処理装置群３００が配設されている。上記書き込みユニット１４０、画像形成ユニット１５０、用紙搬送ユニット１６０、給紙ユニット１７０及び両面給紙ユニット１８０は、全体として印刷手段として機能する。
【００２０】
ＡＤＦ１２０は、原稿台１２１、給送ローラ１２２、搬送ベルト１２３、搬送ローラ１２４、排紙ローラ１２５、原稿セット検知センサ１２６及び排紙台１２７等を備えており、搬送ベルト１２３の下方であって、本体筐体１１０の上面部には、後述する読み取りユニット１３０のコンタクトガラス１３１が配設されている。
【００２１】
ＡＤＦ１２０は、原稿台１２１に原稿の画像面を上にしてセットされた原稿束を、操作表示部１９０（図３参照）上のスタートボタンであるプリントキー１９４（図３参照）が押下されると、最下段の原稿から給送ローラ１２２及び搬送ベルト１２３によってコンタクトガラス１３１上の所定の読み取り位置に給送し、読み取りユニット１３０によってコンタクトガラス１３１上の原稿の画像の読み取りが完了すると、該読み取りの完了した原稿を、搬送ベルト１２３及び排紙ローラ１２５で排紙台１２７上に排出する。
【００２２】
ＡＤＦ１２０は、原稿セット検知センサ１２６が原稿台１２１上に次の原稿があることを検知すると、前原稿と同様にコンタクトガラス１３１上に給送して、読み取りユニット１３０による読み取りが完了すると、上記同様に、該読み取りの完了した原稿を、搬送ベルト１２３で排紙ローラ１２５へ搬送して、排紙ローラ１２５で排紙台１２７上に排出する。ＡＤＦ１２０は、給送ローラ１２２、搬送ローラ１２４及び排紙ローラ１２５を、図示しないモータで駆動する。
【００２３】
読み取りユニット１３０は、上記原稿を載置するコンタクトガラス１３１と光学走査系で構成されており、光学走査系には、露光ランプ１３２、第１ミラー１３３、第２ミラー１３４、第３ミラー１３５、レンズ１３６、ＣＣＤイメージセンサ１３７等で構成されている。露光ランプ１３２及び第１ミラー１３３は、図示しない第１キャリッジ上に搭載され、第２ミラー１３４及び第３ミラー１３５は、図示しない第２キャリッジ上に搭載されている。読み取りユニット１３０は、原稿を読み取るときには、図示しないスキャナ駆動モータで第１キャリッジと第２キャリッジを駆動するが、光路長が変わらないように、第１キャリッジと第２キャリッジを２対１の相対速度で機械的に移動させて、コンタクトガラス１３１上の原稿を走査し、原稿の画像を、ＣＣＤイメージセンサ１３７で読み取って、電気信号に変換する。この読み取りユニット１３０は、レンズ１３６及びＣＣＤイメージセンサ１３７を図２の左右方向に移動させることで、画像倍率を変化させることができ、指定された倍率に対応して、レンズ１３６及びＣＣＤイメージセンサ１３７の左右方向の位置を設定する。
【００２４】
書き込みユニット１４０は、レーザ出力部１４１、結像レンズ１４２及びミラー１４３等を備えており、レーザ出力部１４１の内部には、図示しないが、レーザ光源であるレーザダイオード及びモータによって高速で定速回転する回転多面鏡（ポリゴンミラー）等が収納されている。
【００２５】
書き込みユニット１４０は、レーザ出力部１４１で、レーザダイオードから照射されるレーザ光を、定速回転するポリゴンミラーで偏光して結像レンズ１４２に照射し、このレーザ光を結像レンズ１４２を通してミラー１４３に照射する。ミラー１４３は、入射されるレーザ光を、後述する画像形成ユニット１５０の感光体１５１方向に反射して、感光体１５１の面上に集光結像させる。
【００２６】
この感光体１５１に照射される偏光されたレーザ光は、感光体１５１の回転する方向と直行する方向（主走査方向）に露光走査され、画像信号のライン単位の記録を行う。
【００２７】
書き込みユニット１４０は、感光体１５１の回転速度と記録密度に対応した所定の周期で主走査を繰り返すことによって、感光体１５１の面上に画像（静電潜像）を形成する。この静電潜像は、感光体１５１の面上に画像を光情報に変換して照射することにより生じる電位分布である。
【００２８】
そして、図示しないが、感光体１５１の一端側の近傍のレーザビームの照射される位置に、主走査同期信号を発生するビームセンサが配置されており、この主走査同期信号をもとに主走査方向の画像記録開始タイミングの制御及び画像信号の入出力を行うための制御信号の生成を行う。
【００２９】
画像形成ユニット１５０は、感光体１５１、現像部１５２、搬送ベルト１５３、定着部１５４及び排紙部１５５等を備えており、感光体１５１に現像部１５２と搬送ベルト１５３が接触または近接配置されている。この感光体１５１と搬送ベルト１５３との間に、用紙搬送ユニット１６０によって給紙ユニット１７０に収納されている用紙（シート状部材）Ｐが搬送されてくる。
【００３０】
画像形成ユニット１５０は、読み取りユニット１３０で読み込まれた原稿の文書データ（画像データ）、ＨＤＤ（ハードディスク）２２２（図４参照）等に蓄積されている文書データ、または、図示しないネットワーク等を介して外部装置であるホスト装置（コンピュータ等）から受信した文書データに基づいて変調されたレーザ光が、書き込みユニット１４０から感光体１５１に書き込まれて静電潜像が形成され、静電潜像の形成された感光体１５１の表面に、現像部１５２からトナーを供給して、トナー像が形成される。そして、画像形成ユニット１５０は、用紙Ｐを感光体１５１の回転と等速で搬送ベルト１５３で搬送しながら、感光体１５１上のトナー像を用紙Ｐに転写し、トナー像の転写された用紙Ｐを搬送ベルト１５３で定着部１５４に搬送する。
【００３１】
定着部１５４は、トナー画像の転写された用紙Ｐを搬送しつつ加熱・加圧して、用紙Ｐ上のトナー画像を用紙Ｐに定着させ、トナー画像の定着の完了した用紙Ｐを排紙部１５５に送り出す。
【００３２】
排紙部１５５には、両面給紙ユニット１８０が連結されており、両面給紙ユニット１８０は、両面入紙搬送路１８１、反転部１８２及び両面出紙搬送路１８３等を備えている。両面給紙ユニット１８０は、両面記録モード時に、片面に画像の形成された用紙Ｐを、排紙部１５５の分岐爪１５６で両面入紙搬送路１８１に送り込んで、両面入紙搬送路１８１で反転部１８２に導入・ストックし、反転部１８２から両面出紙搬送路１８３に搬送することで用紙Ｐを反転させて、該反転させた用紙Ｐを、再度、両面出紙搬送路１８３から感光体１５１と搬送ベルト１５３の間に搬送して、反転させた用紙Ｐに再度画像形成（印刷）して、上記後処理装置群３００に送り出す。
【００３３】
上記給紙ユニット１７０は、３つの給紙トレイ１７１、１７２、１７３を備えており、各給紙トレイ１７１〜１７３には、それぞれ複数枚の用紙サイズの異なる用紙Ｐが収納可能である。各給紙トレイ１７１〜１７３には、それぞれ送出部１７４〜１７６が設けられており、各送出部１７４〜１７６は、各給紙トレイ１７１〜１７３内に収納されている用紙Ｐを１枚ずつ分離して用紙搬送ユニット１６０に送り出す。
【００３４】
用紙搬送ユニット１６０は、送出部１７４〜１７６により各給紙トレイ１７１〜１７３から送り出された用紙Ｐを画像形成ユニット１５０の感光体１５１と搬送ベルト１５３との間に搬送する。
【００３５】
画像形成ユニット１５０は、この搬送されてきた用紙Ｐに感光体１５１上に形成したトナー画像を転写し、定着部１５４で用紙Ｐ上のトナー画像を定着させる。
【００３６】
なお、上記感光体１５１、搬送ベルト１５３、定着部１５４、排紙部１５５、現像部１５２は、図示しないメインモータによって駆動され、給紙ユニット１７０の各送出部１７４〜１７６は、このメインモータの駆動が各々図示しない給紙クラッチによって伝達されて駆動される。また、用紙搬送ユニット１６０は、メインモータの駆動が図示しない中間クラッチによって伝達されて駆動される。
【００３７】
ＭＦＰ１００は、図３にその平面図を示す操作表示部（分割手段、折り種類設定手段）１９０を備えており、操作表示部１９０には、液晶タッチパネル１９１、テンキー１９２、クリア／ストップキー１９３、プリントキー１９４、同居印刷キー１９５、試し印刷キー１９６及びモードクリアキー１９７等が設けられている。液晶タッチパネル１９１には、機能キー１１７及び部数やＭＦＰ１００の状態を示すメッセージ等が表示されとともに、後述する断裁制御処理での各種入力画面や通知画面等を表示する。なお、同居印刷キー１９５は、２種類以上の異なる原稿群の画像を１枚の用紙Ｐ上に印刷させる場合に使用され、試し印刷キー１９６は、試しに原稿画像の一部分を印刷させる場合に使用される。
【００３８】
液晶タッチパネル１９１は、オペレータが液晶タッチパネル１９１に表示された機能キーにタッチすることで、選択された機能を示す機能キーが黒く反転する。また、機能の詳細を指定する場合（例えば、変倍であれば、変倍値等）は、機能キーにタッチすることで、詳細機能の設定画面が表示される。このように、液晶タッチパネル１９１は、ドット表示器を使用しているため、そのときの最適な表示をグラフィカルに行うことができる。
【００３９】
そして、ＭＦＰ１００は、図４に示すように、その主要部が機能ブロック構成されており、ＯＳ（Operating System）２００上に、アプリケーション層２１０が搭載され、ＯＳ２００が、アプリケーション２００層の各機能動作処理を、メモリ２２１、ＨＤＤ（ハードディスク）２２２、ＣＰＵ（Central Processing Unit ）２２３及びエンジン２２４によって実行する。アプリケーション層２１０は、コピーアプリ（コピーアプリケーション）２１１ａ、プリンタアプリ（アプリケーション）２１１ｎ、図示しないスキャナアプリ、ファクシミリアプリ等のＭＦＰ１００の備えている各種機能動作を実行する各種アプリケーションを有するとともに、エンジン管理モジュール２１２、出力画像生成モジュール２１３及びパネル管理モジュール２１４等を有している。メモリ２２１は、各種プログラムやデータを一時記憶するのに使用され、ＨＤＤ２２２は、プログラムや文書データ等を蓄積する。ＣＰＵ２２３は、ＨＤＤ２２２のプログラムをメモリ２２１にロードして、ＭＦＰ１の各部を制御して、アプリケーション２１０の各アプリ１１ａ〜２１１ｎ及び各モジュール２１２〜２１４による動作処理を実行して、ＭＦＰ１としての基本処理を実行するとともに、後述する多機能折りユニット３１０を制御して、１つの印刷ジョブで複数の折り種類のシート折りを実行させる印刷・シート折り制御処理を実行する。エンジン２２４は、上記読み取りユニット１３０、書き込みユニット１４０、画像形成ユニット１５０、図示しないＦＡＸユニット等を総称し、これらを機能させるのに必要な用紙搬送ユニット１６０、給紙ユニット１７０及び両面給紙ユニット１８０等を含む。
【００４０】
エンジン管理モジュール２１２は、駆動されるアプリ２１１ａ〜２１１ｎに応じてエンジン２２４及び後処理装置群３００の駆動を制御して、プリンタ機能、コピー機能、スキャナ機能、ファクシミリ機能及び折り処理を含む後処理機能等の各機能処理を実行する。
【００４１】
出力画像生成モジュール２１３は、ＨＤＤ２２２に蓄積されている文書データやエンジン２２４が読み取った画像をアプリ２１１ａ〜２１１ｎの指示に従って、画像合成、画像縮小、画像拡大、画像回転等の画像処理を施す。
【００４２】
パネル管理モジュール２１４は、操作表示部１９０のキー操作や液晶タッチパネル１９１のタッチ操作を監視して、ＣＰＵ２２３に通知し、ＣＰＵ２２３からの指示に応じて操作表示部１９０の液晶タッチパネル１９１への表示やＬＥＤ（Light Emitting Diode）の点滅等を行う。
【００４３】
そして、ＭＦＰ１００は、ＭＦＰ１００としての基本プログラムとシート折り制御プログラム及び／または画像形成制御プログラムと必要なデータが、ＨＤＤ２２２等に導入されてＣＰＵ２２３によって実行されることで、ＭＦＰ１００及び多機能折りユニット３１０による後述する本発明のシート折り制御方法を含む画像形成制御方法を実行するシート折り装置を備えた画像形成装置として構築される。この基本プログラムやシート折り制御プログラム及び画像形成制御プログラムは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Video Disk）、ＳＤ（Secure Digital）カード、ＭＯ（Magneto-Optical Disc）等のコンピュータが読み取り可能な記録媒体に記録されており、多機能折りユニット３１０及びＭＦＰ１００は、該記録媒体のプログラムを読み込んで多機能折りユニット３１０の内部メモリやＭＦＰ１００のＨＤＤ２２２等に導入することで、上述のように、後述するシート折り制御方法及び画像形成制御方法を実行するシート折り装置及び画像形成装置として構築されている。このシート折り制御プログラム及び画像形成制御プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４４】
次に、本実施例の作用を説明する。本実施例の画像形成システム１は、ＭＦＰ１００で印刷した１つの印刷ジョブの文書データを印刷した複数枚の用紙Ｐを、多機能折りユニット３１０で、所定枚数の複数のグループに分けられた各グループの用紙Ｐにそれぞれ異なる折り種類の折り処理を実行する折り種類混在モード処理と該折り処理で複数枚の用紙Ｐを重ねて折る重ね折り処理を実行し、該複数の折り種類の折り処理の施された複数の用紙Ｐを１つの印刷ジョブの用紙束として纏める印刷・シート折り制御処理（シート折り制御処理、画像形成制御処理）を実行する。
【００４５】
なお、本実施例の画像形成システム１は、この折り種類混在モード処理と重ね折り処理を同時に実行するための条件として、図５にそのモード設定処理を示すように、折り種類混在モードが設定されており、かつ、大量原稿モードが設定されていることを要求している。ここで、大量原稿モードとは、１つの印刷ジョブの原稿の読み取り処理やコピー処理において、該印刷ジョブの原稿が、全ての原稿をＡＤＦ１２０に１度にセットできないような大量の原稿であるときに、該原稿を複数の原稿束に分けてＡＤＦ１２０にセットして読み取らせるモードをいう。
【００４６】
なお、本実施例では、折り種類混在モード処理と重ね折り処理を同時に実行するための条件として、折り種類混在モードが設定されており、かつ、大量原稿モードが設定されていることを要求しているが、大量原稿モードであることは、必要ではなく、原稿枚数が、複数の折り種類と該折り種類の少なくとも１つに重ね折りを行うのに必要な枚数の印刷済の用紙Ｐを生成する原稿枚数であればよい。
【００４７】
図５において、ＭＦＰ１００は、操作表示部１９０の操作等によって、折り種類混在モードが設定されているかチェックし（ステップＳ１０１）、折り種類混在モードが設定されていないときには、折り種類混在モード以外の全ての折り種類の選択を可能とするモード設定を行って処理を終了する（ステップＳ１０２）。
【００４８】
ステップＳ１０１で、折り種類混在モードが設定されているときには、ＭＦＰ１００は、操作表示部１９０の操作等によって、大量原稿モードが設定されているかチェックし（ステップＳ１０３）、大量原稿モードが設定されていないときには、折りモード途中変更を不可能なモードにモード設定して処理を終了する（ステップＳ１０４）。
【００４９】
ステップＳ１０３で、操作表示部１９０の操作等によって、大量原稿モードが設定されているときには、ＭＦＰ１００は、折りモード途中変更可能なモードに設定して処理を終了する（ステップＳ１０５）。
【００５０】
そして、ＭＦＰ１００は、図６に示すように、基本印刷・シート折り制御処理を実行する。すなわち、ＭＦＰ１００は、図６に示すように、まず、折りモード入力処理を行う（ステップＳ２０１）。この折りモード入力処理では、例えば、図７に示すような折り種類を選択する折り種類選択画面Ｇ１を操作表示部１９０の液晶タッチパネル１９１に表示して、折り種類混在モードの選択と折り種類の選択を可能とし、図７に示すように、折り種類選択画面Ｇ１で選択された折り種類の折り処理を指定の用紙枚数毎に実行する設定を行う。折り種類選択画面Ｇ１では、例えば、図８に示すように、折り種類混在モードの選択の有無、選択可能な折り種類を表示して、選択された折り種類を、反転表示等によって選択状態として表示する。なお、図７及び図８の折り種類選択画面Ｇ１では、コピー可能である旨、折り種類混在モードである旨のメッセージ表示及び各種折り種類ボタン群Ｂ１、重ね区切りボタＢ２、大量原稿ボタンＢ３が表示されている。また、大量原稿ボタンＢ３が押下されると、図９に示すように、大量原稿ボタンＢ３を反転表示等させて、大量原稿モードが選択されている旨を表示する。
【００５１】
ＭＦＰ１００は、折り種類が選択操作されると、該選択された折り種類を動作設定するとともに、多機能折りユニット３１０に設定し（ステップＳ２０２）、ユーザによって原稿または原稿束がＡＤＦ１２０の原稿台１２１またはコンタクトガラス１３１上にセットされて（ステップＳ２０３）、操作表示部１９０のスタートボタンであるプリントキー１９４が押下されるのを待つ（ステップＳ２０４）。
【００５２】
ＭＦＰ１００は、プリントキー１９４が押下されると、原稿を１枚だけ読み取るスキャンを行って、該原稿の文書データを必要な画像処理を行った後、集約印刷や両面印刷等の単純な１ｉｎ１印刷処理（１枚の原稿をそのまま１枚の用紙Ｐに印刷する印刷処理）以外の印刷処理に対応するために、ＨＤＤ２２２に蓄積し（ステップＳ２０５）、セットされた原稿束の最後か否かを、例えば、ＡＤＦ１２０の原稿台１２１に設けられている原稿センサの検出結果等に基づいて、チェックする（ステップＳ２０６）。なお、ＭＦＰ１００は、原稿の読み取りを開始すると、例えば、コピーモードでは、図１０に示すように、コピー処理通知画面Ｇ２を操作表示部１９０の液晶タッチパネル１９１に表示する。この図１０に示すコピー処理中のコピー処理通知画面Ｇ２では、コピー中である旨、折り種類混在モードである旨のメッセージ、反転表示による選択・設定されている折り種類を示す折り種類ボタンＢ１、重ね折りを実行する区切りの原稿であることを指示操作する重ね折り区切りボタンＢ２、反転表示による大量原稿モード選択状態を示す大量原稿ボタンＢ３及び読み取り終了ボタンＢ４が表示されており、重ね折り区切りボタンＢ２は、図１０の状態では、グレーアウトされていて、操作が不可能な状態となっている。
【００５３】
ステップＳ２０６で、原稿束の最後でないときには、ＭＦＰ１００は、ステップＳ２０５に戻って、次の原稿の読み取りを行って、必要な画像処理を行った後、ＨＤＤ２２２に蓄積し（ステップＳ２０５）、ステップＳ２０６で、原稿束の最後になるまで同様の処理を繰り返して、原稿束の最後になると、図１１に示すように、操作表示部１９０の液晶タッチパネル１９１に表示しているコピー処理通知画面Ｇ２に、重ね折り区切りボタンＢ２のグレーアウト状態を解除して、重ね折り区切りボタンＢ２を操作可能な状態として（ステップＳ２０７）、現在の用紙枚数（印刷済の用紙Ｐの枚数）で重ね折りを行うか否かを、該重ね折り区切りボタンＢ２が押下されたか否かで判断する（ステップＳ２０８）。
【００５４】
ステップＳ２０８で、重ね折り区切りボタンＢ２が押されず、現在の用紙枚数で重ね折りを行わないときには、ＭＦＰ１００は、ステップＳ２０３に戻って、原稿束のセットから上記同様に処理し（ステップＳ２０３〜Ｓ２０８）、ステップＳ２０８で、重ね折りを行うとき、すなわち、図１２に示すように、ユーザが、コピー処理通知画面Ｇ２の重ね折り区切りボタンＢ２が押下されたことを確認すると（ステップＳ２０９）、ＨＤＤ２２２に蓄積した読み取り原稿の文書データを、画像形成ユニット１５０で、印刷設定に応じて用紙Ｐに印刷出力して、該印刷済の用紙Ｐを順次多機能折りユニット３１０に送り、多機能折りユニット３１０で、上記設定された折り種類で折り処理を行わせる（ステップＳ２１０）。なお、図１２は、重ね折り区切りボタンＢ２が押されたことを認識して、該重ね折り区切りボタンＢ２を反転表示させた状態のコピー処理通知画面Ｇ２を示している。
【００５５】
ＭＦＰ１００は、多機能折りユニット３１０に折り処理を行わせると、操作表示部１９０の液晶タッチパネル１９１のコピー処理通知画面Ｇ２に表示していた重ね折り区切りボタンＢ２をグレーアウトして非表示とし（ステップＳ２１１）、該印刷ジョブであるコピージョブの全ての原稿に対する処理が終了したか否かを、コピー処理通知画面Ｇ２の読み取り終了ボタンＢ４が押されたか否かによってチェックする（ステップＳ２１２）。
【００５６】
ステップＳ２１２で、コピー全ての原稿の処理が完了していないときには、ＭＦＰ１００は、操作表示部１９０の液晶タッチパネル１９１に表示しているコピー処理通知画面Ｇ２の折り種類ボタンＢ１の表示状態を、図１３に示すように、現在設定されている折り種類のボタンを反転表示させるとともに、他の折り種類のボタンも押下可能な状態に表示して、他の折り種類のボタンが押下されたか否かによって折りモードを変更するかチェックし（ステップＳ２１３）、折りモードを変更しないときには、ステップＳ２０３に戻って、折りモードを変更することなく、上記同様に処理する（ステップＳ２０３〜Ｓ２１３）。
【００５７】
ステップＳ２１３で、現在の折り種類と異なる折り種類の折り種類ボタンＢ１が押されて折りモードを変更するときには、ＭＦＰ１００は、該押下された折り種類ボタンＢ１の折り種類に設定を変更し（ステップＳ２１４）、ステップＳ２０３に戻って、原稿束セットから該変更後の折り種類で折り処理を行うために上記同様に処理する（ステップＳ２０３〜Ｓ２１４）。
【００５８】
ステップＳ２１２で、全ての原稿の印刷（コピー）及び折り処理が終了して、ユーザによってコピー処理通知画面Ｇ２の読み取り終了ボタンＢ４が押下されるのを確認すると、１つに対する印刷・シート折り制御処理を終了する（ステップＳ２１５）。
【００５９】
そして、１つの印刷ジョブの原稿の文書データを複数部印刷出力する場合には、図１４に示すように、１部目の印刷・シート折り制御処理の処理手順をメモリ２２１等に記憶し、処理部数分だけ同様に処理する。すなわち、ＭＦＰ１００は、１部目の印刷・シート折り制御処理を、図６に示したように、基本印刷・シート折り制御処理として実行すると（ステップＳ３０１）、図６のステップＳ２１５の読み取り終了ボタンＢ４が押下されるのを待って（ステップＳ３０２）、印刷部数が１部であるかチェックする（ステップＳ３０３）。
【００６０】
ステップＳ３０３で、印刷部数が１部のときには、ＭＦＰ１００は、他の部数の処理を行う必要がないため、そのまま処理を終了し、印刷部数が複数部であるときには、メモリ２２１等に記憶した印刷・シート折り制御処理の処理手順を読み出して、次の部の印刷・シート折り制御処理を、図６に示した基本印刷・シート折り制御処理と同様に実行して（ステップＳ３０４）、該印刷・シート折り制御処理が最終部の処理であるかチェックする（ステップＳ３０５）。
【００６１】
ステップＳ３０５で、最終部の処理でないときには、ステップＳ３０４に戻って、次の部の印刷・シート折り制御処理を、図６に示した基本印刷・シート折り制御処理と同様に実行して（ステップＳ３０４）、最終部の処理であるかチェックする処理を、最終部の処理を実行するまで、繰り返し実行し（ステップＳ３０４、Ｓ３０５）、最終部の処理であると、印刷・シート折り制御処理を終了する。
【００６２】
このように、本実施例の画像形成システム１は、１つの文書データの印刷された複数枚の用紙Ｐを任意の枚数毎に複数のグループに分割し、該各グループ毎に設定された折り種類の折りを該グループ毎の用紙Ｐに対して行っている。
【００６３】
したがって、ダイレクトメール等のように、１つの文書を印刷した複数枚の用紙Ｐに対して内三つ重ね折り、外三つ重ね折り、二つ重ね折り等の複数種類の折りを行うことができ、多機能折りユニット３１０やＭＦＰ１００の利用性を向上させることができる。
また、本実施例の画像形成システム１は、該折りの行われた複数の該グループの用紙Ｐを該文書単位で纏めている。
したがって、複数種類の折りを行った１つの文書の印刷済用紙を、１つに纏めることができ、多機能折りユニット３１０やＭＦＰ１００の利用性をより一層向上させることができる。
【００６４】
さらに、本実施例の画像形成システム１は、複数枚の原稿の画像を読み取りユニット（読み取り手段）１３０で読み取り、該読み取りユニット１３０の読み取った原稿の文書データを画像形成ユニット（印刷手段）１５０で用紙Ｐに印刷し、画像形成ユニット１５０で印刷された用紙Ｐに多機能折りユニット（折り手段）３１０で複数種類の折りを行う際に、操作表示部（分割手段）１９０で、１つの文書データが上記印刷された複数枚の用紙Ｐを任意の枚数毎に複数のグループに分割され、該グループ毎に該グループの用紙Ｐに対して多機能折りユニット３１０で行う折り種類が設定されると、ＣＰＵ２２３の制御下で、１つの該文書データの画像形成ユニット１５０での印刷を操作表示部１９０の設定に応じて分割される該グループ毎に行うとともに、多機能折りユニット３１０で、該グループに対して操作表示部１９０で設定された折り種類の折りを該グループの画像形成ユニット１５０で印刷された用紙Ｐに対して行って、折りの完了した複数の該グループの用紙Ｐを該文書単位で纏めている。
【００６５】
したがって、複数枚の原稿を１つの文書として読み取って、該読み取った原稿の文書データを印刷した複数枚の用紙Ｐに対して複数種類の折りを行って、１つに纏めることができ、多機能折りユニット３１０及びＭＦＰ１００の利用性を向上させることができる。
【００６６】
また、本実施例の画像形成システム１は、ＣＰＵ２２３が、読み取りユニット１３０に、操作表示部１９０の操作で分割される各グループ毎の用紙Ｐへの印刷に対応する原稿の読み取りを行わせ、画像形成ユニット１５０に、該グループ毎に該読み取りユニット１３０の読み取った原稿の文書データの用紙Ｐへの印刷を行わせている。
【００６７】
したがって、操作表示部１９０で設定された用紙のグループ分けに応じて、読み取りユニット１３０で１つの文書の原稿の分割読み取りを行い、該読み取ったグループの原稿の文書データを、画像形成ユニット１５０で用紙Ｐに印刷し、該印刷した用紙Ｐに該グループに設定された折り種類の折り処理を多機能折りユニット３１０で行うことができ、コピーモードでの印刷物である用紙Ｐに対して複数種類の折りを設定操作に応じて行って、１つに纏めることができる。
【００６８】
さらに、多機能折りユニット３１０は、用紙Ｐを複数枚重ねた状態で折りを行う重ね折り機能を備えており、操作表示部１９０で、グループ毎の用紙Ｐに対する折り種類として該重ね折りを設定可能となっている。
【００６９】
したがって、画像形成システム１は、１つの文書データを印刷した複数枚の用紙Ｐに対する複数種類の折り中に重ね折りを含ませて行わせることができ、利用性を向上させることができる。
【実施例２】
【００７０】
図１５〜図１９は、本発明のシート折り装置、画像形成装置、シート折り制御方法、画像形成制御方法、シート折り制御プログラム、画像形成制御プログラム及び記録媒体の第２実施例を示す図であり、図１５は、本発明のシート折り装置、画像形成装置、シート折り制御方法、画像形成制御方法、シート折り制御プログラム、画像形成制御プログラム及び記録媒体の第２実施例の印刷・シート折り制御処理を示すフローチャートである。
【００７１】
なお、本実施例は、上記第１実施例の画像形成システム１と同様の画像形成システムに適用したものであり、本実施例の説明においては、必要に応じて第１実施例で用いた符号をそのまま用いて説明する。
【００７２】
本実施例の画像形成システム１は、ＭＦＰ１００で印刷した１つの印刷ジョブの用紙Ｐを複数のグループに分けて異なる折り種類の折りを実行するとともに、その折り種類に重ね折り処理を含ませて実行することができるが、重ね折りには、その重ね折り種類毎に１回の重ね折りで実行可能な制限枚数が設定されており、図１５に示すように、ユーザの指定する重ね折り枚数がこの重ね折り制限枚数を超えているか否かを予めチェックして、超えている場合に所定のエラー処理を行う。なお、図１５において、第１実施例の図６に示した基本印刷・シート折り制御処理と同様の処理ステップには、同一のステップナンバを付して、その説明を簡略化する。
【００７３】
すなわち、ＭＦＰ１００は、図１５に示すように、上記同様に、折りモード入力処理を行い（ステップＳ２０１）、折りモード入力処理で入力された折り種類を動作設定するとともに、多機能折りユニット３１０に設定する（ステップＳ２０２）。次に、ＭＦＰ１００は、ユーザによって原稿または原稿束がＡＤＦ１２０の原稿台１２１またはコンタクトガラス１３１上にセットされて（ステップＳ２０３）、操作表示部１９０のスタートボタンであるプリントキー１９４が押下されるのを待ち（ステップＳ２０４）、プリントキー１９４が押下されると、原稿を１枚だけ読み取って、該原稿の文書データを必要な画像処理を行った後、ＨＤＤ２２２に蓄積する（ステップＳ２０５）。
【００７４】
原稿のスキャンを完了すると、ＭＦＰ１００は、該読み取った原稿の文書データによって印刷される用紙Ｐの枚数が、該原稿の印刷済み用紙Ｐに対する重ね折りモード（重ね折り種類）としてステップＳ２０２で設定した重ね折りモードに対して予め設定されている重ね折り最大用紙枚数（重ね折り制限枚数）に到達したかチェックする（ステップＳ４０１）。この重ね折り最大用紙枚数は、ＨＤＤ２２２またはメモリ２２１等に、例えば、図１６に示すように、各折り種類毎の重ね折り最大用紙枚数の登録された重ね折り最大用紙枚数テーブルとして予め登録されており、ＣＰＵ２２３がこの重ね折り最大用紙枚数テーブルを、ステップＳ２０２で設定した折りモードである折り種類に基づいて参照することで用紙枚数が重ね折り最大用紙枚数に達しているか判断する。
【００７５】
ステップＳ４０１で、読み取り原稿の文書データを印刷する用紙枚数が設定されている重ね折り種類の重ね折り最大用紙枚数に達していないときには、ＭＦＰ１００は、セットされた原稿束の最後か否かを、例えば、ＡＤＦ１２０の原稿台１２１に設けられている原稿センサの検出結果等に基づいて、チェックし（ステップＳ２０６）、原稿束の最後でないときには、ＭＦＰ１００は、ステップＳ２０５に戻って、次の原稿の読み取りを行って、必要な画像処理を行った後、ＨＤＤ２２２に蓄積して（ステップＳ２０５）、該読み取った原稿の文書データによって印刷される用紙Ｐの枚数が、該原稿の印刷済み用紙Ｐに対する重ね折りモードとしてステップＳ２０２で設定した重ね折りモードに対して予め設定されている重ね折り最大用紙枚数に到達したかチェックする（ステップＳ４０１）。ステップＳ４０１で、用紙枚数が重ね折り最大用紙枚数に達することなく、ステップＳ２０６で、原稿束の最後になると、ＭＦＰ１００は、図６の基本印刷・シート折り制御処理のステップＳ２０７からステップＳ２１５の処理を実行して、また、図１４の印刷部数チェック処理を伴う印刷・シート折り制御処理を実行して、処理を終了する（ステップＳ４０２）。
【００７６】
ステップＳ４０１で、読み取った原稿の文書データによって印刷される用紙Ｐの枚数が、該原稿の印刷済み用紙Ｐに対する重ね折りモードとしてステップＳ２０２で設定された重ね折りモードに対して予め設定されている重ね折り最大用紙枚数に達すると、ＭＦＰ１００は、予め設定されている重ね折り枚数オーバーによるエラー処理を実行し（ステップＳ４０３）、該エラー処理において基本印刷・シート折り制御処理（図１５では、基本処理と表記している。）に復帰する選択が行われたかチェックする（ステップＳ４０４）。
【００７７】
ステップＳ４０４で、基本印刷・シート折り制御処理に復帰するときには、ＭＦＰ１００は、ステップＳ２０６に移行して、原稿束の最後であるかチェックする処理から上記同様に処理する（ステップＳ２０６、Ｓ２０５、Ｓ４０１〜Ｓ４０４）。
【００７８】
ステップＳ４０４で、基本印刷・シート折り制御処理に復帰しないときには、ＭＦＰ１００は、そのまま印刷・シート折り制御処理を終了する。
【００７９】
そして、ＭＦＰ１００は、上記重ね折り枚数オーバーによるエラー処理を、図１７に示すように実行する。すなわち、ＭＦＰ１００は、図１７に示すように、図１５に示した重ね折り枚数チェックを伴う印刷・シート折り制御処理（ステップＳ５００）のステップＳ４０１で、読み取った原稿の文書データによって印刷される用紙Ｐの枚数が、該原稿の印刷済み用紙Ｐに対する重ね折りモードに対して予め設定されている重ね折り最大用紙枚数に達するエラーが発生すると、例えば、図１８に示すようなエラー通知画面Ｇ３を操作表示部１９０の液晶タッチパネル（報知手段）１９１に表示し（ステップＳ５０１）、エラーに対して選択された対応処理を判断する（ステップＳ５０３）。なお、図１８のエラー通知画面Ｇ３では、重ね折り最大用紙枚数を超えている旨のエラーメッセージ及び「折りを解除して印刷」ボタンＢ１１、「折り種類を変更」ボタンＢ１２、「キャンセル」ボタン１３のエラーに対する対応処理を選択するボタンが表示されており、ユーザは、このエラー対応ボタンＢ１１、Ｂ１２、Ｂ１３のいずれかを押下することで、重ね折り最大用紙枚数を超えたエラーに対する対応処理を選択することができる。
【００８０】
ＭＦＰ１００は、エラー通知画面Ｇ３で、ユーザによって「キャンセル」ボタンＢ１３が押下されると（ステップＳ５０３）、重ね折り枚数オーバーによるエラー処理及び印刷・シート折り制御処理を終了する。
【００８１】
ＭＦＰ１００は、エラー通知画面Ｇ３で、ユーザによって「折りを解除して印刷」ボタンＢ１１が押下されると（ステップＳ５０４）、図１５のステップＳ２０１で入力されてステップＳ２０２で設定した折り種類を解除して、折り設定無しの大量原稿モードでの印刷を行って、重ね折り枚数オーバーによるエラー処理及び印刷・シート折り制御処理を終了する（ステップＳ５０５）。
【００８２】
ＭＦＰ１００は、エラー通知画面Ｇ３で、ユーザによって「折り種類を変更」ボタンＢ１２が押下されると（ステップＳ５０６）、図１９に示すように、折り種類変更選択画面（折り設定変更手段）Ｇ４を操作表示部１９０の液晶タッチパネル１９１に表示し（ステップＳ５０７）、折り種類変更選択画面Ｇ４で選択された対応処理を判断する（ステップＳ５０８）。なお、図１９の折り種類選択画面Ｇ４では、重ね折り最大用紙枚数を超えているエラーに対して折り種類の変更選択を促す旨のメッセージ、各種折り種類のうち選択可能な折り種類のボタンを選択操作可能状態とし、選択不可能な折り種類をグレーアウト等による選択操作不可状態とした各種折り種類ボタンＢ２０、「折りを解除して印刷」ボタンＢ２１、「キャンセル」ボタン２２が表示されており、ユーザは、この各ボタンＢ２０、Ｂ２１、Ｂ２２のいずれかを押下することで、重ね折り最大用紙枚数を超えたエラーに対する対応策を選択することができる。また、図１９では、折り種類ボタンＢ２０のうち、図１６に示した重ね折り最大用紙枚数テーブルで、重ね折り最大用紙枚数が最も少ない「単純四つ折り」ボタンと「観音四つ折り」ボタンがグレーアウトされて選択操作不可能状態で表示されており、他の「二つ折り」ボタン、「Ｚ折り」ボタン、「内三つ折り」ボタン、「外三つ折り」ボタンについては選択操作可能な状態で表示されている。
【００８３】
ＭＦＰ１００は、折り種類変更選択画面Ｇ４で、「キャンセル」ボタンＢ２２が押されると（ステップＳ５０３）、重ね折り枚数オーバーによるエラー処理及び印刷・シート折り制御処理を終了し、折り種類変更選択画面Ｇ４で、「折りを解除して印刷」ボタンＢ２１が押されると（ステップＳ５０４）、図１５のステップＳ２０１で入力されてステップＳ２０２で設定した折り種類を解除して、折り設定無しの大量原稿モードでの印刷を行って、重ね折り枚数オーバーによるエラー処理及び印刷・シート折り制御処理を終了する（ステップＳ５０５）。
【００８４】
また、折り種類変更選択画面Ｇ４で、選択可能な折り種類ボタンＢ２０のいずれかが押下されると（ステップＳ５０９）、折り種類を該押下された折り種類ボタンＢ２０の折り種類に変更して、図１５に示した重ね折り枚数チェックを伴う印刷・シート折り制御処理（ステップＳ５００）のステップＳ２０６に移行して、上記重ね折り枚数チェックを伴う印刷・シート折り制御処理を実行して、該処理が終了すると、エラー処理を終了する。
【００８５】
このように、本実施例の画像形成システム１は、多機能折りユニット３１０が、重ね折りが実行可能な用紙枚数の限度である重ね折り最大用紙枚数（重ね折り制限枚数）を各折り種類毎に有しており、操作表示部１９０で設定された折り種類に対して分割された用紙Ｐの枚数が該折り種類の該重ね折り最大用紙枚数に達していると、少なくとも重ね折り最大枚数に達した旨を操作表示部１９０の液晶タッチパネル１９１のエラー通知画面Ｇ３に報知している。
【００８６】
したがって、重ね折りの設定の段階で該重ね折りが可能か否かを通知することができ、折りの実行段階で重ね折りができなくなったり、故障が発生することを未然に防止して、利用性を向上させることができる。
【００８７】
また、本実施例の画像形成システム１は、ＭＦＰ１００の操作表示部１９０の液晶タッチパネル１９１に、重ね折り最大枚数に達したグループの用紙Ｐに対する折り種類の変更と該折り処理の解除のうち少なくともいずれかの設定変更を可能とするエラー通知画面Ｇ３を表示している。
【００８８】
したがって、重ね折り最大用紙枚数に達したときに、操作表示部１９０の液晶タッチパネル１９１に表示される各種対応策から適宜選択することで、エラーに対応することができ、利用性を向上させることができる。
【００８９】
さらに、本実施例の画像形成システム１は、エラー通知画面Ｇ３で折り種類の変更が選択されると、重ね折り最大用紙枚数に達した重ね折り種類の重ね折り最大用紙枚数よりも重ね折り最大用紙枚数の多い他の重ね折り種類のみを選択可能な折り種類として提示する折り種類選択画面Ｇ４を表示している。
【００９０】
したがって、重ね折り最大用紙枚数に達したときに、他の重ね折りを簡単かつ適切に選択して変更することができ、利用性をより一層向上させることができる。
【実施例３】
【００９１】
図２０及び図２１は、本発明のシート折り装置、画像形成装置、シート折り制御方法、画像形成制御方法、シート折り制御プログラム、画像形成制御プログラム及び記録媒体の第３実施例を示す図であり、図２０は、本発明のシート折り装置、画像形成装置、シート折り制御方法、画像形成制御方法、シート折り制御プログラム、画像形成制御プログラム及び記録媒体の第３実施例の印刷・シート折り制御処理を示すフローチャートである。
【００９２】
なお、本実施例は、上記第１実施例の画像形成システム１と同様の画像形成システムに適用したものであり、本実施例の説明においては、必要に応じて第１実施例で用いた符号をそのまま用いて説明する。
【００９３】
本実施例の画像形成システム１は、ＭＦＰ１００がコンピュータ等の外部装置であるホスト装置にＬＡＮ（Local Area Network）、インターネット等のネットワークを介して接続されており、該ホスト装置から印刷データと印刷設定を含む印刷ジョブを受け取って該印刷ジョブに基づいて印刷・シート折り制御処理を実行する。
【００９４】
そして、ホスト装置は、通常のハードウェア構成と、ＯＳ（Operating System）上に文章作成アプリケーション、表作成アプリケーション、図形作成アプリケーション等のアプリケーション（アプリケーションソフトウェア）を搭載しており、印刷ジョブに、１つの印刷ジョブの用紙Ｐを複数のグループに分けて異なる折り種類の折りを設定する折り種類混在モード処理と、その折り種類に重ね折り処理を含ませる重ね折り指定処理を行うシート折り制御方法を実行するシート折り制御プログラムが、第１実施例と同様に任意の記録媒体から読み取って導入されている。
【００９５】
本実施例のホスト装置では、このシート折り制御プログラムが、プリンタドライバに、組み込まれているが、単独のソフトウェアとして機能して、最終的にプリンタドライバの生成する印刷ジョブに折り種類混在設定や重ね折り指定を組み込むように動作してもよい。
【００９６】
すなわち、ホスト装置は、図２０に示すように、その搭載するアプリケーション（例えば、）で作成された文書データや他のホスト装置等で作成されて受信した文書データ等に対して印刷要求が行われると、プリンタドライバを起動させて、プリンタドライバによる印刷指示を行わせる（ステップＳ６０１）。
【００９７】
ホスト装置は、この印刷指示処理で、プリンタドライバを起動すると、プリンタドライバが、印刷設定画面をディスプレイに表示させる。該印刷設定画面には、図２１に示すように、「その他」の項目に、印刷設定・折り設定画面Ｇ５が組み込まれており、「その他」の項目が選択されると、この印刷設定・折り設定画面Ｇ５を表示する。この印刷設定・折り設定画面Ｇ５は、印刷用紙の何枚目から何枚目までにどのような折り種類の折り処理を行うか、また、その折り種類の折り処理で、重ね折りを行うのか、１枚折りを行うのかを設定可能となっており、図２１の印刷設定・折り設定画面Ｇ５では、１枚目から３枚目の用紙を、「内三つ折り」で重ね折り、４枚目から５枚目の用紙を、「観音四つ折り」で１枚折り、６枚目に、「内三つ折り」で重ね折り、７枚目から１０枚目の用紙を、「外三つ折り」で重ね折りすることが設定されている。
【００９８】
ホスト装置は、プリンタドライバでの印刷設定及び上記折り設定処理が行われて「ＯＫ」ボタンが押下されると、文書データを該印刷設定に応じた印刷データに変換して、該印刷設定とともに、印刷ジョブを生成して画像形成システム１のＭＦＰ１００に送信する。
【００９９】
ＭＦＰ１００は、ホスト装置から印刷ジョブを受信すると、該印刷ジョブを解析して、該印刷ジョブの内容を設定し（ステップＳ６０２）、１枚目の用紙Ｐへの印刷データの印刷処理を行って（ステップＳ６０３）、印刷ジョブの印刷設定の内容から折り処理を行うタイミングであるかチェックする（ステップＳ６０４）。
【０１００】
ＭＦＰ１００は、折り処理を行うタイミングでないときには、ステップＳ６０３に戻って、次の用紙Ｐへの印刷データの印刷処理を行い、折り処理を行うタイミングであるかチェックする処理を折り処理タイミングになるまで繰り返し行い（ステップＳ６０３、Ｓ６０４）、折り処理タイミングになると、多機能折りユニット３１０に該用紙束に対して印刷ジョブの印刷設定で指定されている折り種類の折り処理を行わせる（ステップＳ６０５）。
【０１０１】
ＭＦＰ１００は、折り処理を多機能折りユニット３１０に行わせると、印刷ジョブの印刷設定から部の終わりか否かチェックし（ステップＳ６０６）、部の終わりでないときには、折り種類を変更するか否かを印刷ジョブの印刷設定から判断する（ステップＳ６０７）。ＭＦＰ１００は、ステップＳ６０７で、折り種類を変更しないときには、ステップＳ６０３に戻って、次の用紙Ｐへの印刷データの印刷から上記同様に処理し（ステップＳ６０３〜Ｓ６０７）、ステップＳ６０７で、折り種類を変更するときには、ＭＦＰ１００は、該印刷ジョブの印刷設定で指定されている折り種類に折り設定を変更し（ステップＳ６０８）、ステップＳ６０２に戻って、ジョブの設定から上記同様に処理する（ステップＳ６０２〜Ｓ６０８）。
【０１０２】
ステップＳ６０６で、部の終わりであると、ＭＦＰ１００は、印刷ジョブの印刷設定から全ての部の処理が終了したか否かチェックし（ステップＳ６０９）、全ての部の処理を完了していないときには、部の最初の印刷設定に設定を戻して（ステップＳ６１０）、ステップＳ６０２に戻って、ジョブの設定から該部に対する処理を、印刷ジョブの印刷設定に設定されている部数だけ繰り返し実行する（ステップＳ６０２〜Ｓ６１０）。
【０１０３】
ステップＳ６０９で、ＭＦＰ１００は、全ての部の処理が終了すると、印刷・シート折り制御処理を終了する。
【０１０４】
なお、上記説明では、外部装置であるホスト装置から受信した印刷データ（文書データ）に対する印刷・シート折り制御処理について説明したが、読み取りユニット１３０で予め読み取ってＨＤＤ２２２に保管したり、ホスト装置等の外部装置から受信してＨＤＤ２２２の保管した文書データを、該ＨＤＤ２２２から読み出して用紙Ｐに印刷出力する場合にも同様に適用することができる。この場合、上記説明でホスト装置のプリンタドライバの表示する印刷設定・折り設定画面Ｇ５と同様の印刷設定・折り設定画面をＭＦＰ１００の液晶タッチパネル１９１に表示して、該印刷設定・折り設定画面で文書データを印刷した用紙Ｐの何枚目から何枚目なでにどのような折り種類の折り処理を行うのか、また、重ね折りを行うのか１枚折りを行うのかの折り設定を行うようにし、この折り設定に応じてＨＤＤ２２２の文書データの印刷処理の制御と多機能折りユニット３１０での折り処理の制御を行う。
【０１０５】
このように、本実施例の画像形成システム１は、ＨＤＤ２２２に保管されている文書データまたは外部のホスト装置から受信した文書データを用紙Ｐに印刷する際に、操作表示部１９０の操作またはホスト装置での操作によって、該印刷された複数枚の用紙Ｐを任意の枚数毎に複数のグループに分割するグループ設定が行われ、該グループ毎に該グループの用紙に対して行う折り種類が設定されると、ＭＦＰ１００が、１つの該文書データの用紙Ｐへの印刷を該グループ毎に行い、多機能折りユニット３１０で、該グループの印刷済みの用紙Ｐに対して設定された該折り種類の折り処理を行って、該折り処理の行われた複数の該グループの用紙Ｐを該文書単位で纏めている。
【０１０６】
したがって、蓄積済の文書データの印刷やホスト装置等の外部装置からの印刷データである１つの文書データに対しても、複数種類の折り処理を行うことができるとともに、重ね折りを混在させて行うことができ、利用性を向上させることができる。
【０１０７】
また、上記各実施例の説明においては、ＭＦＰ１００において、印刷・シート折り制御処理を実行しているが、多機能折りユニット３１０が実行してもよい。この場合、多機能折りユニット３１０は、印刷枚数等の印刷ジョブに関する必要な情報及び折り種類、折り種類毎の用紙枚数等の折り情報をＭＦＰ１００から取得してＭＦＰ１００から送り込まれてくる印刷済の用紙Ｐに対する折り処理の手順を決定して、印刷・シート折り制御処理、特に、シート折り制御処理を実行するとともに、ＭＦＰ１００に対して該折り処理に応じた文書データの用紙毎の印刷指示（用紙に対する印刷ページ、印刷順序、印刷ページ配置、印刷タイミング等の指示）を行って該印刷指示に従った印刷をＭＦＰ１００に行わせるようにする。
【０１０８】
このようにすると、多機能折りユニット３１０の適用範囲を広げることができ、汎用性を向上させることができる。
【０１０９】
さらに、上記各説明においては、シート状部材として用紙Ｐに印刷を行って、が伊豫市におり処理を施す場合について説明したが、シート状部材は用紙Ｐに限るものではなく、例えば、印刷と折り処理を適切に行うことのできるフィルム等にも適用することができる。
【０１１０】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１１１】
本発明は、用紙、記録紙、ＯＨＰシート、フィルム等の印刷済のシート状部材に折り処理を行うシート折り装置、該シート折り装置を外付けまたは内蔵する画像形成装置、シート折り制御方法、画像形成制御方法、シート折り制御プログラム、画像形成制御プログラム及び該プログラムを記録する記録媒体に適用することができる。
【図面の簡単な説明】
【０１１２】
【図１】本発明の第１実施例を適用した画像形成ユニットの概略構成図。
【図２】図１のＭＦＰの正面概略構成図。
【図３】図２のＭＦＰの操作部の平面図。
【図４】図１のＭＦＰの主要部の機能ブロック構成図。
【図５】折りモード設定処理を示すフローチャート。
【図６】基本印刷・シート折り制御処理を示すフローチャート。
【図７】折り種類選択画面の一例を示す図。
【図８】折り種類が選択されている状態の折り種類選択画面の一例を示す図。
【図９】折り種類と大量原稿モードが設定されている状態の折り種類選択画面の一例を示す図。
【図１０】コピー処理通知画面の一例を示す図。
【図１１】重ね折り区切りボタン表示中のコピー処理通知画面の一例を示す図。
【図１２】重ね折り区切りボタンが押された状態のコピー処理通知画面の一例を示す図。
【図１３】折り種類変更可能状態のコピー処理通知画面の一例を示す図。
【図１４】印刷部数チェック処理を伴う印刷・シート折り制御処理を示すフローチャート。
【図１５】重ね折り枚数チェック処理を伴う印刷・シート折り制御処理を示すフローチャート。
【図１６】重ね折り最大用紙枚数テーブルの一例を示す図。
【図１７】重ね折り枚数オーバーエラー処理を示すフローチャート。
【図１８】エラー通知画面の一例を示す図。
【図１９】折り種類変更選択画面の一例を示す図。
【図２０】ホスト装置での折り設定による印刷・シート折り制御処理を示すフローチャート。
【図２１】プリンタドライバの印刷設定・折り設定画面の一例を示す図。
【図２２】二つ折りの説明図。
【図２３】Ｚ折りの説明図。
【図２４】外三つ折りの説明図。
【図２５】内三つ折りの説明図。
【図２６】単純四つ折りの説明図。
【図２７】観音四つ折りの説明図。
【図２８】二つ重ね折りの説明図。
【図２９】外三つ重ね折りの説明図。
【図３０】内三つ重ね折りの説明図。
【図３１】１つの印刷ジョブで３種類の折り処理を行う場合の説明図。
【符号の説明】
【０１１３】
１  画像形成システム
１００  ＭＦＰ
１１０  本体筐体
１２０  ＡＤＦ
１２１  原稿台
１２２  給送ローラ
１２３  搬送ベルト
１２４  搬送ローラ
１２５  原稿セット検知センサ
１２６  排紙ローラ
１２７  排紙台
１３０  読み取りユニット
１３１  コンタクトガラス
１３２  露光ランプ
１３３  第１ミラー
１３４  第２ミラー
１３５  第３ミラー
１３６  レンズ
１３７  ＣＣＤイメージセンサ
１４０  書き込みユニット
１４１  レーザ出力部
１４２  結像レンズ
１４３  ミラー
１５０  画像形成ユニット
１５１  感光体
１５２  現像部
１５３  搬送ベルト
１５４  定着部
１５５  排紙部
１５６  分岐爪
１６０  用紙搬送ユニット
１７０  給紙ユニット
１７１〜１７３  給紙トレイ
１７４〜１７６  送出部
１８０  両面給紙ユニット
１８１  両面入紙搬送路
１８２  反転部
１８３  両面出紙搬送路
１９０  操作表示部
１９１  液晶タッチパネル
１９２  テンキー
１９３  クリア／ストップキー
１９４  プリントキー
１９５  同居印刷キー
１９６  試し印刷キー
１９７  モードクリアキー
２００  ＯＳ
２１０  アプリケーション層
２１１ａ  コピーアプリ
２１１ｎ  プリンタアプリ
２１２  エンジン管理モジュール
２１３  出力画像生成モジュール
２１４  パネル管理モジュール
２２１  メモリ
２２２  ＨＤＤ
２２３  ＣＰＵ
２２４  エンジン
３００  後処理装置群
３１０  多機能折りユニット
３２０  フィニッシャ
Ｇ１  折り種類選択画面
Ｇ２  コピー処理通知画面
Ｇ３  エラー通知画面
Ｇ４  折り種類変更選択画面
Ｇ５  印刷設定・折り設定画面
Ｂ１、Ｂ２０  折り種類ボタン
Ｂ２  重ね折り区切りボタン
Ｂ３  大量原稿ボタン
Ｂ４  読み取り終了ボタン
Ｂ１１、Ｂ２１  「折りを解除して印刷」ボタン
Ｂ１２  「折り種類を変更」ボタン
Ｂ１３、Ｂ２２  「キャンセル」ボタン
【図１】
0005135050.tif 000002
【図２】
0005135050.tif 000003
【図３】
0005135050.tif 000004
【図４】
0005135050.tif 000005
【図５】
0005135050.tif 000006
【図６】
0005135050.tif 000007
【図７】
0005135050.tif 000008
【図８】
0005135050.tif 000009
【図９】
0005135050.tif 000010
【図１０】
0005135050.tif 000011
【図１１】
0005135050.tif 000012
【図１２】
0005135050.tif 000013
【図１３】
0005135050.tif 000014
【図１４】
0005135050.tif 000015
【図１５】
0005135050.tif 000016
【図１６】
0005135050.tif 000017
【図１７】
0005135050.tif 000018
【図１８】
0005135050.tif 000019
【図１９】
0005135050.tif 000020
【図２０】
0005135050.tif 000021
【図２１】
0005135050.tif 000022
【図２２】
0005135050.tif 000023
【図２３】
0005135050.tif 000024
【図２４】
0005135050.tif 000025
【図２５】
0005135050.tif 000026
【図２６】
0005135050.tif 000027
【図２７】
0005135050.tif 000028
【図２８】
0005135050.tif 000029
【図２９】
0005135050.tif 000030
【図３０】
0005135050.tif 000031
【図３１】
0005135050.tif 000032